(57)【要約】【課題】ユーザの無駄な作業を抑制する。【解決手段】本発明の画像処理装置は、画像データの濃度を規定する濃度レベルを設定する濃度レベル設定手段と、前記画像データの地肌飛ばしを規定する地肌飛ばしレベルを設定する地肌飛ばしレベル設定手段と、前記濃度レベル設定手段によって設定される前記濃度レベルそれぞれに応じた前記地肌飛ばしレベル設定手段によって設定可能な前記地肌飛ばしレベルの範囲を示す設定範囲調整情報を記憶する設定範囲調整情報記憶手段と、前記濃度レベル及び前記地肌飛ばしレベルを設定するための画面を表示装置に表示する表示制御手段であって、前記設定範囲調整情報記憶手段に記憶されている前記設定範囲調整情報に基づいて、前記濃度レベルに応じた前記地肌飛ばしレベルを設定可能な画面を表示する表示制御手段と、を備える。【選択図】図２
2017130912.tif 000002
【特許請求の範囲】
【請求項１】
画像データの濃度を規定する濃度レベルを設定する濃度レベル設定手段と、
前記画像データの地肌飛ばしを規定する地肌飛ばしレベルを設定する地肌飛ばしレベル設定手段と、
前記濃度レベル設定手段によって設定される前記濃度レベルそれぞれに応じた前記地肌飛ばしレベル設定手段によって設定可能な前記地肌飛ばしレベルの範囲を示す設定範囲調整情報を記憶する設定範囲調整情報記憶手段と、
前記濃度レベル及び前記地肌飛ばしレベルを設定するための画面を表示装置に表示する表示制御手段であって、前記設定範囲調整情報記憶手段に記憶されている前記設定範囲調整情報に基づいて、前記濃度レベルに応じた前記地肌飛ばしレベルを設定可能な画面を表示する表示制御手段と、
を備える画像処理装置。
【請求項２】
前記表示制御手段は、前記濃度レベルに応じて設定可能な前記地肌飛ばしレベルを、前記画面に設定可能に表示する
請求項１に記載の画像処理装置。
【請求項３】
前記表示制御手段は、前記濃度レベルに応じて設定不能な前記地肌飛ばしレベルを、前記画面に設定不能に表示する
請求項１又は請求項２に記載の画像処理装置。
【請求項４】
前記表示制御手段は、前記濃度レベル設定手段により前記濃度レベルが変更された場合、変更後の前記濃度レベルに応じて設定可能な前記地肌飛ばしレベルを、前記画面に設定可能に表示する
請求項１乃至請求項３のいずれか１項に記載の画像処理装置。
【請求項５】
前記表示制御手段は、前記濃度レベル設定手段により前記濃度レベルが変更された場合、変更後の前記濃度レベルに応じて設定不能な前記地肌飛ばしレベルを、前記画面に設定不能に表示する
請求項１乃至請求項４のいずれか１項に記載の画像処理装置。
【請求項６】
前記表示制御手段は、前記地肌飛ばしレベル設定手段により前記地肌飛ばしレベルが変更された場合、変更後の前記地肌飛ばしレベルを設定可能な前記濃度レベルを、設定中の前記濃度レベルとして表示する
請求項１乃至請求項５のいずれか１項に記載の画像処理装置。
【請求項７】
前記画像データが読み取られる原稿の種類を設定する原稿設定手段を更に備え、
前記表示制御手段は、前記原稿設定手段により設定された原稿の種類を設定可能な前記画面を表示する
請求項１乃至請求項６のいずれか１項に記載の画像処理装置。
【請求項８】
前記表示制御手段は、前記原稿設定手段により前記原稿の種類が変更された場合、変更後の前記原稿の種類に応じて設定可能な前記地肌飛ばしレベルを、前記画面に設定可能に表示する
請求項７に記載の画像処理装置。
【請求項９】
前記表示制御手段は、前記原稿設定手段により前記原稿の種類が変更されたことにより、前記地肌飛ばしレベルの設定の可否が変化した場合、その旨のメッセージを前記画面に表示する
請求項７又は請求項８に記載の画像処理装置。
【請求項１０】
前記地肌飛ばしの有無が設定可能であり、
前記表示制御手段は、前記地肌飛ばしの有無が無しから有りに変更された場合、設定可能な前記地肌飛ばしレベルがある前記濃度レベルを、設定中の前記濃度レベルとして前記画面に表示する
請求項１乃至請求項９のいずれか１項に記載の画像処理装置。
【請求項１１】
画像データの濃度を規定する濃度レベルを設定する濃度レベル設定処理と、
前記画像データの地肌飛ばしを規定する地肌飛ばしレベルを設定する地肌飛ばしレベル設定処理と、
前記濃度レベル設定処理によって設定される前記濃度レベルそれぞれに応じた前記地肌飛ばしレベル設定処理によって設定可能な前記地肌飛ばしレベルの範囲を示す設定範囲調整情報を記憶する設定範囲調整情報記憶処理と、
前記濃度レベル及び前記地肌飛ばしレベルを設定するための画面を表示装置に表示する表示制御処理であって、前記設定範囲調整情報記憶処理において記憶される前記設定範囲調整情報に基づいて、前記濃度レベルに応じた前記地肌飛ばしレベルを設定可能な画面を表示する表示制御処理と、
をコンピュータに実行させるためのプログラム。
【発明の詳細な説明】
【技術分野】
【０００１】
本発明は、画像処理装置及びプログラムに関する。
【背景技術】
【０００２】
例えば複写機などの画像処理装置において、白地の用紙を用いた原稿だけでなく、例えば、新聞、藁半紙、再生紙、色紙などのように、用紙自体の色濃度の異なる原稿を読み取り対象とすることがある。このような原稿は地肌の濃度が高い。そのため、このような原稿をＣＣＤ（Ｃｈａｒｇｅ  Ｃｏｕｐｌｅｄ  Ｄｅｖｉｃｅ）センサなどの受光部で読み取り、その画像データをそのまま出力すると、再現された原稿は地肌が出て汚れたものになってしまう。
【０００３】
このような原稿を読み取り対象とした場合でも最適な出力が得られるように、地肌検出処理と地肌除去処理を行うことが知られている。地肌検出処理は、読取対象である原稿における文字や図形以外の地肌部分の濃度レベル（以下「地肌濃度レベル」という。）を検出する処理である。地肌除去処理は、出力画像における地肌の濃度が低くなるように、その検出結果に応じた階調補正を行なう処理である。
【０００４】
上記に関し、例えば特許文献１には、読み取り原稿の濃度レベルを検出し、検出された濃度に応じて階調補正を行う技術が開示されている。
【発明の概要】
【発明が解決しようとする課題】
【０００５】
しかし、これまでは、ユーザが手動で濃度レベルと階調補正レベルを別々に設定する画像処理装置において、濃度レベル設定を「濃く」にすると、原稿の地肌が目立ってしまうため、階調補正レベルを低く設定していると、「地肌を飛ばす」効果が分かり難くなる。そのため、ユーザは、地肌の濃度を低くするために、わざわざ階調補正レベルを高くしなければならないというような無駄な作業を強いられる。
【０００６】
本発明はこのような実情に鑑みてなされたものであって、ユーザの無駄な作業を抑制することを目的とする。
【課題を解決するための手段】
【０００７】
上述の課題を解決するために、本発明の画像処理装置は、画像データの濃度を規定する濃度レベルを設定する濃度レベル設定手段と、前記画像データの地肌飛ばしを規定する地肌飛ばしレベルを設定する地肌飛ばしレベル設定手段と、前記濃度レベル設定手段によって設定される前記濃度レベルそれぞれに応じた前記地肌飛ばしレベル設定手段によって設定可能な前記地肌飛ばしレベルの範囲を示す設定範囲調整情報を記憶する設定範囲調整情報記憶手段と、前記濃度レベル及び前記地肌飛ばしレベルを設定するための画面を表示装置に表示する表示制御手段であって、前記設定範囲調整情報記憶手段に記憶されている前記設定範囲調整情報に基づいて、前記濃度レベルに応じた前記地肌飛ばしレベルを設定可能な画面を表示する表示制御手段と、を備える。
【発明の効果】
【０００８】
本発明によれば、ユーザの無駄な作業を抑制することができる。
【図面の簡単な説明】
【０００９】
【図１】本実施形態における画像処理装置のハードウェア構成図である。
【図２】本実施形態における画像処理装置の機能ブロック図である。
【図３】本実施形態における画像処理装置の表示画面例を示す模式図である。
【図４】本実施形態における画像処理装置の表示画面例を示す模式図である。
【図５】本実施形態における画像処理装置の表示画面例を示す模式図である。
【図６】本実施形態における画像処理装置の表示画面例を示す模式図である。
【図７】本実施形態における画像処理装置の表示画面例を示す模式図である。
【図８】本実施形態における画像処理装置の表示画面例を示す模式図である。
【図９】本実施形態における画像処理装置の表示画面例を示す模式図である。
【図１０】本実施形態における画像処理装置の表示画面例を示す模式図である。
【図１１】本実施形態における画像処理装置の表示画面例を示す模式図である。
【図１２】本実施形態における処理手順を示すフローチャートである。
【図１３】本実施形態における処理手順を示すフローチャートである。
【図１４】本実施形態における処理手順を示すフローチャートである。
【図１５】本実施形態における処理手順を示すフローチャートである。
【図１６】本実施形態における画像処理装置の表示画面例を示す模式図である。
【図１７】本実施形態における画像処理装置の表示画面例を示す模式図である。
【図１８】本実施形態における画像処理装置の表示画面例を示す模式図である。
【図１９】本実施形態における画像処理装置の表示画面例を示す模式図である。
【発明を実施するための形態】
【００１０】
本発明の実施形態における画像処理装置に関し以下図面を用いて説明するが、本発明の趣旨を越えない限り、何ら本実施形態に限定されるものではない。なお、各図中、同一又は相当する部分には同一の符号を付しており、その重複説明は適宜に簡略化乃至省略する。また、以下に記載する実施形態は本発明の最良の形態であって、本発明にかかる特許請求の範囲を限定するものではない。
【００１１】
なお、以下では、本実施形態における画像処理装置として、例えば、ＭＦＰ（Ｍｕｌｔｉ  Ｆｕｎｃｔｉｏｎ  Ｐｒｉｎｔｅｒ）等の画像処理装置を用いて説明する。しかし、本実施形態の画像処理装置は、ＭＦＰ等の画像処理装置に限定されず、例えば、画像処理機能を有するか、画像処理プログラムがインストールされた情報処理装置であってもよい。また、本実施形態の画像処理装置は、画像処理機能を有する画像投射装置でも電子黒板等でもよい。
【００１２】
［本実施形態における画像処理装置のハードウェア構成について］
本実施形態における画像処理装置１のハードウェア構成について図１を参照して説明する。本実施形態における画像処理装置１は、ハードウェア構成として、ＣＰＵ（Ｃｅｎｔｒａｌ  Ｐｒｏｃｅｓｓｉｎｇ  Ｕｎｉｔ）１１、ＲＡＭ（Ｒａｎｄｏｍ  Ａｃｃｅｓｓ  Ｍｅｍｏｒｙ）１２、ＲＯＭ（Ｒｅａｄ  Ｏｎｌｙ  Ｍｅｍｏｒｙ）１３を備える。また、画像処理装置１は、ＮＷ  Ｉ／Ｆ（Ｎｅｔｗｏｒｋ  Ｉｎｔｅｒｆａｃｅ）１４、操作表示部１５、ＨＤＤ（Ｈａｒｄ  Ｄｉｓｋ  Ｄｒｉｖｅ）１６、読取部１７、書込部１８を備える。
【００１３】
ＣＰＵ１１は、画像処理装置１の全体制御を行う制御部であり、上記の各ユニットを制御する。ＲＡＭ１２は、ＣＰＵ１１のワークメモリとして機能する記憶部である。ＲＯＭ１３は、画像処理装置１が備える上記の各ユニットが行う処理に必要な各種パラメータや、本実施形態における特徴ある処理を規定する処理プログラム等を記憶する記憶部である。
【００１４】
ＮＷ  Ｉ／Ｆ１４は、例えばＬＡＮ（Ｌｏｃａｌ  Ａｒｅａ  Ｎｅｔｗｏｒｋ）によって画像処理装置１と接続された情報処理装置との通信を制御するインタフェースである。また、ＮＷ  Ｉ／Ｆ１４は、ＷＡＮ（Ｗｉｄｅ  Ａｒｅａ  Ｎｅｔｗｏｒｋ）を介してインターネット等による通信を制御するインタフェースとしても機能することができる。なお、ＮＷ  Ｉ／Ｆ１４を介した通信は、有線でも無線でもよい。
【００１５】
操作表示部１５は、画像処理装置１に対してユーザによる操作入力を受け付ける例えば操作パネル等である。操作表示部１５は、ユーザから操作入力を受け付ける入力キーと、各種情報を表示する表示パネルと、から構成されている。なお、操作表示部１５は、表示パネルに重畳してタッチパネルを有していてもよく、その場合は、表示パネルに表示された入力キーへのタッチ操作を介してユーザの操作入力を受け付ける。
【００１６】
ＨＤＤ１６は、画像処理装置１が処理する画像データ等を記憶する大容量記憶部である。なお、ＨＤＤ１６は、画像処理装置１の必須の構成ではなく、画像データ等は外部メモリや記憶メディア等に記憶されたものを画像処理装置１に入力することとしてもよい。
【００１７】
読取部１７は、原稿から画像を読み取るスキャナ装置である。読取部１７は、原稿を載置するガラス台やＡＤＦ（Ａｕｔｏ  Ｄｏｃｕｍｅｎｔ  Ｆｅｅｄｅｒ）を備える。
【００１８】
書込部１８は、読取部１７により原稿から読み取られた画像を印刷する画像形成部であり、例えば、印刷エンジン等である。なお、書込部１８による画像形成の方式としては、電子写真方式でも、インクジェット方式でも、その他の公知の方式でも、今後登場する新方式のいずれでも構わない。
【００１９】
［本実施形態における画像処理装置の基本機能ブロックについて］
本実施形態における画像処理装置１の基本機能ブロックについて図２を参照して説明する。本実施形態における画像処理装置１は、基本機能ブロックとして、第１設定部１０１、第２設定部１０２、設定範囲調整部１０３を備える。図２における破線で囲まれた上記の各機能ブロックが基本機能ブロックである。
【００２０】
第１設定部１０１は、画像データを規定する第１の要素レベルを設定する第１設定手段である。本実施形態においては、第１設定部１０１は、画像データの濃度を規定する濃度レベルを設定する濃度レベル設定手段に相当する。第１設定部１０１は、図１に示したＣＰＵ１１、ＲＡＭ１２、ＲＯＭ１３、操作表示部１５によりその機能が実現される。
【００２１】
第２設定部１０２は、第１の要素レベルと異なる、画像データを規定する第２の要素レベルを設定する第２設定手段である。本実施形態においては、第２設定部１０２は、画像データの地肌飛ばしレベルを設定する地肌飛ばしレベル設定手段に相当する。第２設定部１０２は、図１に示したＣＰＵ１１、ＲＡＭ１２、ＲＯＭ１３、操作表示部１５によりその機能が実現される。
【００２２】
設定範囲調整部１０３は、第１設定部１０１により予め設定された第１の要素レベルに応じて、第２設定部１０２により設定可能な第２の要素レベルの範囲を調整する。また、設定範囲調整部１０３は、第２設定部１０２により予め設定された第２の要素レベルに応じて、第１設定部１０１により設定可能な第１の要素レベルの範囲を調整する。また、設定範囲調整部１０３は、第１の要素レベルと、第１の要素レベルに応じて設定可能な第２の要素レベルの範囲と、の対応関係を示す設定範囲調整情報を記憶する設定範囲調整情報記憶手段である。設定範囲調整情報は、原稿の種類ごとに用意される。設定範囲調整部１０３は、図１に示したＣＰＵ１１、ＲＡＭ１２、ＲＯＭ１３、操作表示部１５によりその機能が実現される。
【００２３】
より詳細には、設定範囲調整部１０３は、例えば、設定範囲調整情報に基づいて、先に設定されている濃度レベルにより設定可能な地肌飛ばしレベルの範囲を調整する。
【００２４】
なお、本実施形態においては、第１の要素レベルとして濃度レベル、第２の要素レベルとして地肌飛ばしレベルを用いて説明しているが、第１の要素レベル及び第２の要素レベルは、これらに限定されない。画像設定において、第１の要素レベルとしての一方の要素レベルが変更された場合に、その変更内容により影響される他方の要素レベルを第２の要素レベルとしている。このような関係にある２つ以上の要素レベルであれば、第１の要素レベル及び第２の要素レベルの種類は限定されない。
【００２５】
［本実施形態における画像処理装置の追加機能ブロックについて］
本実施形態における画像処理装置１の追加機能ブロックについて説明する。画像処理装置１は、追加機能ブロックとして、原稿設定部１０４、表示部１０５、表示制御部１０６、テーブル設定部１０７を備える。
【００２６】
原稿設定部１０４は、図１に示した読取部１７により読み取られた原稿の種類を設定する原稿設定手段である。原稿設定部１０４は、図１に示したＣＰＵ１１、ＲＡＭ１２、ＲＯＭ１３、操作表示部１５によりその機能が実現される。
【００２７】
設定範囲調整部１０３は、原稿設定部１０４により設定された原稿の種類に応じて、第１設定部１０１により設定可能な第１の要素レベルの範囲を調整することもできる。また、設定範囲調整部１０３は、原稿設定部１０４により設定された原稿の種類に応じて、第２設定部１０２により設定可能な第２の要素レベルの範囲を調整することもできる。
【００２８】
表示部１０５は、第１設定部１０１により設定された第１の要素レベル、第２設定部１０２により設定された第２の要素レベル、又は原稿設定部１０４により設定された原稿の種類を表示する表示手段である。表示部１０５は、図１に示したＣＰＵ１１、ＲＡＭ１２、ＲＯＭ１３、操作表示部１５によりその機能が実現される。
【００２９】
表示制御部１０６は、設定範囲調整部１０３により調整された第１の要素レベルの設定可能範囲や、設定範囲調整部１０３により調整された第２の要素レベルの設定可能範囲を表示するように表示部１０５を制御する表示制御手段である。表示制御部１０６は、図１に示したＣＰＵ１１、ＲＡＭ１２、ＲＯＭ１３によりその機能が実現される。
【００３０】
設定範囲調整部１０３は、設定範囲調整情報に基づいて、第１設定部１０１により設定可能な第１の要素レベルの範囲や、第２設定部１０２により設定可能な第２の要素レベルの範囲を調整することができる。本実施形態において、設定範囲調整情報は、原稿の種類ごとに用意されたテーブルに格納される。このテーブルでは、第１の要素レベルと、設定可能な第２の要素レベルの範囲と、が対応付けて格納される。テーブルの具体例を以下の表１〜５に示す。
【００３１】
【表１】
2017130912.tif 000003
【００３２】
表１は、原稿種類が「文字」である場合の設定範囲調整情報を格納したテーブルである。ここでは、濃度レベル「１」の場合、地肌飛ばしレベルは「設定不可」であり、濃度レベルが「２」の場合、設定可能な地肌飛ばしレベルの範囲は「１〜３」である。また、濃度レベルが「３」の場合、設定可能な地肌飛ばしレベルの範囲は「１〜９」であり、濃度レベルが「４」の場合、設定可能な地肌飛ばしレベルの範囲は「５〜９」である。さらに、濃度レベルが「５」の場合、設定可能な地肌飛ばしレベルの範囲は「８、９」である。
【００３３】
【表２】
2017130912.tif 000004
【００３４】
表２は、原稿種類が「文字・写真」である場合の設定範囲調整情報を格納したテーブルである。ここでは、濃度レベル「１」の場合、地肌飛ばしレベルは「設定不可」であり、濃度レベルが「２」の場合、設定可能な地肌飛ばしレベルの範囲は「１〜３」である。また、濃度レベルが「３」の場合、設定可能な地肌飛ばしレベルの範囲は「１〜９」であり、濃度レベルが「４」の場合、設定可能な地肌飛ばしレベルの範囲は「５〜９」である。さらに、濃度レベルが「５」の場合、設定可能な地肌飛ばしレベルの範囲は「８、９」である。
【００３５】
【表３】
2017130912.tif 000005
【００３６】
表３は、原稿種類が「写真」である場合の設定範囲調整情報を格納したテーブルである。ここでは、濃度レベル「１」の場合、設定可能な地肌飛ばしレベルの範囲は「１」であり、濃度レベルが「２」の場合、設定可能な地肌飛ばしレベルの範囲は「１〜３」である。また、濃度レベルが「３」の場合、設定可能な地肌飛ばしレベルの範囲は「１〜９」であり、濃度レベルが「４」の場合、設定可能な地肌飛ばしレベルの範囲は「５〜９」である。さらに、濃度レベルが「５」の場合、設定可能な地肌飛ばしレベルの範囲は「８、９」である。
【００３７】
【表４】
2017130912.tif 000006
【００３８】
表４は、原稿種類が「淡い原稿」である場合の設定範囲調整情報を格納したテーブルである。ここでは、濃度レベル「１」の場合、設定可能な地肌飛ばしレベルの範囲は「１、２」であり、濃度レベルが「２」の場合、設定可能な地肌飛ばしレベルの範囲は「１〜３」である。また、濃度レベルが「３」の場合、設定可能な地肌飛ばしレベルの範囲は「１〜９」であり、濃度レベルが「４」の場合、設定可能な地肌飛ばしレベルの範囲は「５〜９」である。さらに、濃度レベルが「５」の場合、設定可能な地肌飛ばしレベルの範囲は「８、９」である。
【００３９】
【表５】
2017130912.tif 000007
【００４０】
表５は、原稿種類が「複写原稿」である場合の設定範囲調整情報を格納したテーブルである。ここでは、濃度レベル「１」の場合、設定可能な地肌飛ばしレベルの範囲は「１」であり、濃度レベルが「２」の場合、設定可能な地肌飛ばしレベルの範囲は「１、２」である。また、濃度レベルが「３」の場合、設定可能な地肌飛ばしレベルの範囲は「１〜９」であり、濃度レベルが「４」の場合、設定可能な地肌飛ばしレベルの範囲は「６〜９」である。さらに、濃度レベルが「５」の場合、設定可能な地肌飛ばしレベルの範囲は「８、９」である。
【００４１】
テーブル設定部１０７は、テーブルに格納される設定範囲調整情報を設定するテーブル設定手段である。テーブル設定部１０７は、図１に示したＣＰＵ１１、ＲＡＭ１２、ＲＯＭ１３によりその機能が実現される。これにより、ユーザは各自の使用態様に応じて、原稿種類、濃度レベル、地肌飛ばしレベルの対応関係を設定することができるため、ユーザフレンドリーである。設定範囲調整情報の設定についての詳細は後述する。
【００４２】
なお、本実施形態における画像処理装置１によるコピー動作の処理手順の概略を説明する。コピー機能は、図１に示したＣＰＵ１１、ＲＡＭ１２、ＲＯＭ１３、読取部１７、書込部１８により実現される。また、画像処理装置１は、表示制御部１０６により、ユーザに操作させるために表示部１０５に表示する画面を構築する。
【００４３】
操作表示部１５を介してユーザがコピー開始指示を出すと、当該指示がＣＰＵ１１に送られる。ＣＰＵ１１はその指示を受けて読取部１７に読み取り指示を出し、読取部１７がＲＯＭ１３やＨＤＤ１６等のメモリに読み取った画像データや画像ＩＤを一時保存する。ＣＰＵ１１は、メモリに一時保存された画像ＩＤを書込部１８に伝え、書込部１８は画像ＩＤで特定される画像データに基づいて印刷を実行する。
【００４４】
なお、例えば、ユーザが、パーソナルコンピュータ（以下「ＰＣ」という。）等の情報処理装置やスマートフォン等の携帯情報端末を介して情報処理装置１を使用する場合、ＮＷ  Ｉ／Ｆ１４を介したＰＣ等からの指示を受けてコピー動作が実行される。
【００４５】
また、この後に説明するレベル設定画面は、表示制御部１０６が画面を構築して、表示部１０５に表示させるものである。また、ＣＰＵ１１は、上記設定画面を利用してユーザが指示した濃度レベルと地肌飛ばしレベルの各設定値を読取部１７に伝え、読取部１７が原稿の読み取りを実行する。
【００４６】
［本実施形態における画像処理装置のコピー表示画面例について］
本実施形態における画像処理装置１のコピー表示画面例について図３を参照して説明する。ここでは、画面左上に「コピーできます」とユーザにコピー使用を促すメッセージが表示され、その右側に読み取り原稿枚数、セット数、コピー部数が表示されている。また、その下には、フルカラー又は白黒を選択する選択ボタン、自動用紙選択、トレイ１  Ａ４、トレイ２  Ｂ４、トレイ３  Ａ３、手差し  Ｂ５を選択する選択ボタンが並べて配置されている。
【００４７】
さらに、画面左下には、片面／両面設定表示として、原稿面が片面か両面かを選択する選択ボタン、印刷面が片面か両面かを選択する選択ボタンが配置されている。さらに、画面右下には、編集設定として、「変倍」「ソート」「原稿設定」「集約」の各編集項目が選択可能に配置されている。また、表示画面の右側には、コピー枚数等を入力するテンキーボタン、コピーを開始するスタートボタン、コピーを終了等するストップボタンが配置されている。
【００４８】
［本実施形態における画像処理装置の原稿設定画面例について］
本実施形態における画像処理装置１の原稿設定画面例について図４を参照して説明する。本設定画面は、図３に示した「原稿設定」ボタンを選択すると表示されるものである。上段には、「文字」「文字・写真」「写真」「淡い原稿」「複写原稿」と設定可能な原稿種類が選択可能に表示されている。中段には、濃度レベルが「１」から「５」まで５段階で表示されている。また、中段には、設定された濃度レベルを高くするための「こく」ボタンと、設定された濃度レベルを低くするための「うすく」ボタンと、が表示されている。下段には、地肌飛ばしの有無を選択する「する（有り）」「しない（無）」ボタンが表示されている。地肌飛ばし「する」は、地肌飛ばしレベルを設定することに相当し、地肌飛ばし「しない」は、地肌飛ばしレベルを設定しないことに相当する。
【００４９】
なお、図４は初期状態における原稿設定画面例であり、初期状態では原稿種類が「文字・写真」、濃度レベルが中央値の３、地肌飛ばしは「しない」となっている。この場合、地肌飛ばしレベルは表示されない。また、原稿設定画面では、設定中の濃度レベルは、設定中であることがわかるように強調表示（図４の例では、囲み表示）される。また、原稿設定画面において、表示された濃度レベルを選択することにより、濃度レベルを設定可能であってもよい。
【００５０】
図５は、地肌飛ばしを「する」とした場合の原稿設定画面例である。最下段には、地肌飛ばしレベルが「１」から「９」まで９段階で表示されている。また、最下段には、設定された地肌飛ばしレベルを高く（地肌飛ばしの効果を強く）するための「強」ボタンと、設定された地肌飛ばしレベルを低く（地肌飛ばしの効果を弱く）するための「弱」ボタンと、が表示されている。ここでは、地肌飛ばしレベルの初期値は中央値の「５」となっている。原稿設定画面では、設定中の地肌飛ばしレベルは、設定中であることがわかるように強調表示（図５の例では、囲み表示）される。
【００５１】
濃度レベルが３の場合、原稿種類が「文字・写真」であるため、表１に示す通り、設定可能な地肌飛ばしレベルの範囲は「１〜９」である。このため、地肌飛ばしレベル「１〜９」は、選択可能に表示されている。なお、原稿設定画面において、設定可能に表示された、すなわち、設定可能な地肌飛ばしレベルとして表示された地肌飛ばしレベルを選択することにより、地肌飛ばしレベルを設定可能であってもよい。
【００５２】
［原稿設定画面において濃度レベルを４に設定した場合の画面例］
図５に示した原稿設定画面において濃度レベルを４に設定した場合の画面例について図６を参照して説明する。ユーザは、図５に示した原稿設定画面において、「こく」ボタンを１回選択することにより、濃度レベルを４に設定することができる。濃度レベルを４にした場合、原稿種類が「文字・写真」であるため、表１に示す通り、設定可能な地肌飛ばしレベルの範囲は「５〜９」に制限される。地肌飛ばしレベル「１〜４」は、この濃度レベルでは選択不能のため、選択不能に表示（図６の例では破線表示）されている。
【００５３】
［原稿設定画面において濃度レベルを５に設定した場合の画面例］
図５に示した原稿設定画面において濃度レベルを５に設定した場合の画面例について図７を参照して説明する。ユーザは、図５に示した原稿設定画面において、「こく」ボタンを２回選択することにより、濃度レベルを５に設定することができる。濃度レベルを５にした場合、原稿種類が「文字・写真」であるため、表１に示す通り、設定可能な地肌飛ばしレベルの範囲は「８、９」に制限される。地肌飛ばしレベル「１〜７」は、この濃度レベルでは選択不能のため、選択不能に表示（図７の例では破線表示）されている。また、濃度レベル「５」において、元の地肌飛ばしレベル「５」は設定不能であるため、地肌飛ばしレベルは、設定可能な地肌飛ばしレベル「８，９」のうち、中央値「５」に最も近い「８」に自動的に変更されている。
【００５４】
［原稿設定画面において地肌飛ばしレベルを７に設定した場合の画面例］
図７に示した画面例の状態において、地肌飛ばしレベルを７に設定した場合の画面例について図８を参照して説明する。ユーザは、図７に示した原稿設定画面において、「弱」ボタンを１回選択することにより、地肌飛ばしレベルを７に設定することができる。この場合、濃度レベルは、地肌飛ばしレベル「７」を設定可能な濃度レベル「４」に、自動的に変更される。これに伴って、地肌飛ばしレベルは「５〜９」まで選択可能となる。
【００５５】
［原稿設定画面において濃度レベルを１に設定した場合の画面例］
図５等に示した原稿設定画面において、濃度レベルを「１」とした場合の画面例について図９を参照して説明する。ユーザは、図５に示した原稿設定画面において、「うすく」ボタンを２回選択することにより、濃度レベルを１に設定することができる。濃度レベルを「１」にした場合、地肌飛ばしを行うことはできない。そのため、地肌飛ばしは自動的に「しない」に変更され、地肌飛ばしレベルが選択不能に表示（図９の例では破線表示）されている。なお、濃度レベルを「１」にした場合、図４の例のように、地肌飛ばしレベルが表示されなくてもよい。また、濃度レベルを「１」にした場合、地肌飛ばしが「する」に設定されたまま、地肌飛ばしレベルが選択不能に表示されてもよい。
【００５６】
［原稿設定画面において地肌飛ばしを「する」に設定した場合の画面例］
図９に示した原稿設定画面において、地肌飛ばしを「する」にした場合の画面例について図１０を参照して説明する。地肌飛ばしを「する」に設定すると、濃度レベルが、地肌飛ばしレベルを設定可能な濃度レベル「２」に、自動的に変更される。これに伴い、地肌飛ばしレベルは、設定可能な地肌飛ばしレベルのうち、中央値「５」に最も近い「３」に設定される。
【００５７】
［原稿設定画面において原稿種類を変更した場合の画面例］
図５等に示した原稿設定画面において、原稿種類を変更した場合の画面例について図１１を参照して説明する。原稿種類を変更した場合、画像処理装置１は、ユーザが読み取ろうとする原稿種類が変わったものと推定する。この場合、画像処理装置１は、濃度レベルと地肌飛ばしレベルを中央値にリセットする。なお、地肌飛ばしの有無（「する」又は「しない」）についてはそのままであることが好ましい。
【００５８】
これまで、図５から図１１までの画面例を用いて説明したように、原稿種類、濃度レベル、地肌飛ばし、地肌飛ばしレベルの、設定上の強さの関係は、以下のように表すことができる。
【００５９】
原稿種類＞濃度レベル＝地肌飛ばし＝地肌飛ばしレベル
つまり、原稿種類が勝手に変わることはない。他方、濃度レベル、地肌飛ばし、地肌飛ばしレベルは、それぞれ後で設定変更した内容に応じて他方が変更される。
【００６０】
［本実施形態における濃度レベルを変更した場合の処理手順について］
本実施形態における濃度レベルを変更した場合の処理手順について図１２を参照して説明する。本処理手順における地肌飛ばしが設定されているルートは、図６、図７、図９に対応する処理手順である。
【００６１】
まず、図４に示した原稿設定画面において、ユーザによる濃度レベルの変更操作（「こく」ボタンや「うすく」ボタンの選択）を受けて、第１設定部１０１は、濃度レベルを変更する（ステップＳ１）。
【００６２】
第２設定部１０２は、地肌飛ばしが「する」に設定されているか否かを判定する（ステップＳ２）。第２設定部１０２により、地肌飛ばしが「する」に設定されていない（「しない」に設定されている）と判定された場合は（ステップＳ２、ＮＯ）、表示画面はそのままとなる（ステップＳ６）。つまり、ここでは、濃度レベルが変更されるのみとなる。
【００６３】
他方、第２設定部１０２により、地肌飛ばしが「する」に設定されていると判定された場合（ステップＳ２、ＹＥＳ）、処理はステップＳ３に進む。ステップＳ３において、設定範囲調整部１０３は、設定範囲調整情報に基づいて、設定中の地肌飛ばしレベルが、設定中の原稿種類や濃度レベルにおいて設定可能か否かを判定する（ステップＳ３）。ここでは、地肌飛ばしが「する」に設定されている間、いずれかの地肌飛ばしレベルが常に設定される場合を想定している。
【００６４】
設定範囲調整部１０３により、設定中の地肌飛ばしレベルが設定可能であると判定された場合（ステップＳ３、ＹＥＳ）、表示画面はそのままとなる（ステップＳ７）。つまり、設定中の地肌飛ばしレベルは変更されない
【００６５】
他方、設定範囲調整部１０３により、設定中の地肌飛ばしレベルが設定可能でないと判定された場合（ステップＳ３、ＮＯ）、処理はステップＳ４に進む。ステップＳ４において、設定範囲調整部１０３は、設定範囲調整情報に基づいて、設定中の原稿種類や濃度レベルにおいて設定可能な地肌飛ばしレベルのうち、最も中央値に近い地肌飛ばしレベルを特定する（ステップＳ４）。
【００６６】
そして、設定範囲調整部１０３は、設定中の地肌飛ばしレベルを、特定された地肌飛ばしレベルに変更する（ステップＳ５）。これにより、ユーザは、地肌飛ばしレベルを改めて設定しなおす必要がなくなるため、ユーザの無駄な作業を抑制することが可能となる。
【００６７】
［本実施形態における地肌飛ばしレベルを変更した場合の処理手順について］
本実施形態における地肌飛ばしレベルを変更した場合の処理手順について図１３を参照して説明する。本処理手順に対応する原稿設定画面は図８に示した画面例である。
【００６８】
図７に示した原稿設定画面において、ユーザによる地肌飛ばしレベルの変更操作（「強」ボタンや「弱」ボタンの選択）を受けて、第２設定部１０２は、地肌飛ばしレベルを変更する（ステップＳ１１）。
【００６９】
設定範囲調整部１０３は、設定範囲調整情報に基づいて、設定中の濃度レベルが、設定中の地肌飛ばしレベルを設定可能な濃度レベルであるか否かを判定する（ステップＳ１２）。設定範囲調整部１０３により、設定中の原稿種類や濃度レベルで設定可能な地肌飛ばしレベルに変更されたと判定された場合（ステップＳ１２、ＹＥＳ）、表示画面はそのままとなる（ステップＳ１５）。つまり、設定中の濃度レベルは変更されない。
【００７０】
他方、設定範囲調整部１０３により、設定中の原稿種類や濃度レベルで設定可能な地肌飛ばしレベルに変更されていないと判定された場合（ステップＳ１２、ＮＯ）、処理はステップＳ１３に進む。ステップＳ１３において、設定範囲調整部１０３は、設定範囲調整情報に基づいて、設定中の地肌飛ばしレベルを設定可能な濃度レベルのうち、設定中の濃度レベルに最も近い濃度レベルを特定する（ステップＳ１３）。
【００７１】
そして、設定範囲調整部１０３は、設定中の濃度レベルを、特定された濃度レベルに変更する（ステップＳ１４）。これにより、ユーザは濃度レベルを改めて設定しなおす必要がなくなるため、ユーザの無駄な作業を抑制することが可能となる。
【００７２】
［本実施形態における地肌飛ばしを「しない」から「する」に変更した場合の処理手順について］
本実施形態における地肌飛ばしを「しない」から「する」に変更した場合の処理手順について図１４を参照して説明する。本処理手順に対応する原稿設定画面は図１０に示した画面例である。
【００７３】
図９に示した原稿設定画面において、ユーザによる地肌飛ばしを「しない」から「する」にする操作（「する」ボタンの選択）を受けて、第２設定部１０２は、地肌飛ばしを「する」に変更する（ステップＳ２１）。
【００７４】
設定範囲調整部１０３は、設定範囲調整情報に基づいて、設定中の原稿種類や濃度レベルにおいて、地肌飛ばしレベルが設定可能であるか否か判定する（ステップＳ２２）。設定範囲調整部１０３により、地肌飛ばしレベルが設定可能と判定された場合（ステップＳ２２、ＹＥＳ）、処理はステップＳ２５に進む。ステップＳ２５については後述する。
【００７５】
他方、設定範囲調整部１０３により、地肌飛ばしレベルが設定可能でない判定された場合（ステップＳ２２、ＮＯ）、処理はステップＳ２３に進む。ステップＳ２３において、設定範囲調整部１０３は、設定範囲調整情報に基づいて、設定中の原稿種類において地肌飛ばしレベルを設定可能な濃度レベルのうち、設定中の濃度レベルに最も近い濃度レベルを特定する（ステップＳ２３）。
【００７６】
そして、設定範囲調整部１０３は、設定中の濃度レベルを、特定された濃度レベルに変更する（ステップＳ２４）。
【００７７】
続いて、設定範囲調整部１０３は、設定範囲調整情報に基づいて、設定中の原稿種類や濃度レベルにおいて、地肌飛ばしレベルの中央値が設定可能か否かを判定する（ステップＳ２５）。設定範囲調整部１０３により、地肌飛ばしレベルの中央値が設定可能であると判定された場合（ステップＳ２５、ＹＥＳ）、表示画面はそのままとなる（ステップＳ２８）。つまり、設定中の濃度レベル及び地肌飛ばしレベルは変更されない。このとき、地肌飛ばしレベルは、初期値（中央値）である。
【００７８】
他方、設定範囲調整部１０３により、地肌飛ばしレベルの中央値が設定可能でないと判定された場合（ステップＳ２５、ＮＯ）、処理はステップＳ２６に進む。ステップＳ２６において、設定範囲調整部１０３は、設定範囲調整情報に基づいて、設定中の原稿種類や濃度レベルにおいて設定可能な地肌飛ばしレベルのうち、最も中央値に近い地肌飛ばしレベルを特定する（ステップＳ２６）。
【００７９】
そして、設定範囲調整部１０３は、設定中の地肌飛ばしレベルを、特定された地肌飛ばしレベルに変更する（ステップＳ２７）。
【００８０】
［本実施形態における原稿種類を変更した場合の処理手順について］
本実施形態における原稿種類を変更した場合の処理手順について図１５を参照して説明する。本処理手順に対応する原稿設定画面は図１１に示した画面例である。
【００８１】
図５等に示した原稿設定画面において、ユーザによる原稿種類の変更操作（設定中の原稿種類とは異なる原稿種類の選択）を受けて、原稿設定部１０４は、原稿種類を変更する（ステップＳ３１）。原稿種類が変更されると、設定範囲調整部１０３は、濃度レベルを中央値に設定（リセット）する（ステップＳ３２）。
【００８２】
設定範囲調整部１０３は、設定範囲調整情報に基づいて、設定中の原稿種類及び濃度レベル（中央値）において、地肌飛ばしレベルは設定可能であるか否かを判定する（ステップＳ３３）。設定範囲調整部１０３により、地肌飛ばしレベルが設定可能でないと判定された場合（ステップＳ３３、ＮＯ）、処理はステップＳ３７に進む。ステップＳ３７については後述する。
【００８３】
他方、設定範囲調整部１０３により、地肌飛ばしレベルが設定可能である判定された場合（ステップＳ３３、ＹＥＳ）、処理はステップＳ３４に進む。ステップＳ３４において、設定範囲調整部１０３は、設定範囲調整情報に基づいて、設定中の原稿種類及び濃度レベル（中央値）において、地肌飛ばしレベルの中央値は設定可能であるか否かを判定する（ステップＳ３４）。
【００８４】
設定範囲調整部１０３により、地肌飛ばしレベルの中央値が設定可能であると判定された場合（ステップＳ３４、ＹＥＳ）、設定範囲調整部１０３は、地肌飛ばしレベルを中央値に設定（リセット）する（ステップＳ３９）。これにより、ユーザは濃度レベルを改めて設定しなおす必要がなくなるため、ユーザの無駄な作業を抑制することが可能となる。その後、処理はステップＳ３７に進む。ステップＳ３７については後述する。
【００８５】
他方、設定範囲調整部１０３により、地肌飛ばしレベルの中央値が設定可能でないと判定された場合（ステップＳ３４、ＮＯ）、処理はステップＳ３５に進む。ステップＳ３５において、設定範囲調整部１０３は、設定範囲調整情報に基づいて、設定中の原稿種類及び濃度レベル（中央値）において設定可能な地肌飛ばしレベルのうち、中央値に最も近い地肌飛ばしレベルを特定する（ステップＳ３５）。
【００８６】
そして、設定範囲調整部１０３は、地肌飛ばしレベルを、特定された地肌飛ばしレベルに設定する（ステップＳ３６）。この場合、地肌飛ばしレベルは、中央値にリセットされない。これにより、ユーザは濃度レベルを改めて設定しなおす必要がなくなるため、ユーザの無駄な作業を抑制することが可能となる。
【００８７】
続いて、設定範囲調整部１０３は、設定範囲調整情報に基づいて、原稿種類を変更の前後で、地肌飛ばしレベルの設定の可否が変化したか判定する（ステップＳ３７）。設定範囲調整部１０３により、地肌飛ばしレベルを設定の可否が変化したと判定された場合（ステップＳ３７、ＮＯ）、表示制御部１０６は、原稿設定画面にその旨のメッセージを表示させる（ステップＳ３８）。
【００８８】
具体的には、原稿種類の変更により、設定不能だった地肌飛ばしレベルが設定可能になった場合、表示制御部１０６は、「地肌飛ばしレベルが設定できます」といったメッセージを表示部１０５に表示させる。また、原稿種類の変更により、設定可能だった地肌飛ばしレベルが設定不能になった場合、表示制御部１０６は、「地肌飛ばしレベルが設定できません」といったメッセージを表示部１０５に表示させる。これにより、ユーザに、地肌飛ばしレベルの設定可否の変化を通知することができる。
【００８９】
他方、設定範囲調整部１０３により、地肌飛ばしレベルの設定の可否が変化していないと判定された場合（ステップＳ３７、ＮＯ）、表示画面はそのままとなる（ステップＳ４０）。つまり、メッセージは表示されない。
【００９０】
［本実施形態における原稿設定表示画面例について］
本実施形態における原稿設定表示画面例について図１６を参照して説明する。本図に示した表示画面は、原稿種類別または原稿種類共通として、原稿種類および濃度レベルに応じた地肌飛ばしレベルの制限を行うかどうかの設定を行うための設定画面である。なお、本画面は、図３からではなく、初期設定画面において表示されることが好ましい。
【００９１】
上段には、地肌飛ばしレベル制限を行う項目として「する（原稿種類別）」「する（原稿種類共通）」「しない」が配置され、下段には、地肌飛ばしレベル設定を行う項目として「設定」が配置されている。
【００９２】
地肌飛ばしレベル制限を「する（原稿種類別）」に設定した場合に、地肌飛ばしレベル設定の「設定…」ボタンを押した場合の説明は図１７、図１８を参照しつつ後述する。また、地肌飛ばしレベル制限を「する（原稿種類共通）」に設定した場合に、地肌飛ばしレベル設定の「設定…」ボタンを押した場合の説明は図１９を参照して説明する。
【００９３】
なお、地肌飛ばしレベル制限を「しない」に設定した場合は、図６〜図１０に示した原稿設定画面のような動作はせず、常に地肌飛ばしレベルとして１〜９を選択することができる。
【００９４】
本設定画面において設定された値は、表１〜５に示した値を上書きし、図１に示したＲＯＭ１３等に格納され、図６〜図１０、図１２〜図１５において説明した処理の際に利用される。例えば、地肌飛ばしレベル制限を「しない」に変更したときは、表１〜５の全ての項目が「１、２、３、４、５、６、７、８、９」となる。他方、地肌飛ばしレベル制限を「する（原稿種類別）」や「する（原稿種類共通）」に変更した場合は、それぞれの初期値がセットされる。
【００９５】
［原稿種類別地肌飛ばしレベル設定について］
原稿種類別地肌飛ばしレベル設定について図１７及び図１８を参照して説明する。図１７は、原稿種類別・濃度レベル別に、地肌飛ばしレベルの各値を有効（設定可能）にするかどうかを設定する画面を示したものである。原稿種類と濃度レベルは、それぞれタブで表示されており、全部で５項目×５項目の２５の組み合わせに対して、それぞれの設定で有効とする地肌飛ばしレベルを設定する。なお、本図における表示態様は一例であって、これに限定されない。本処理は、上述したテーブル設定部１０７によるものである。
【００９６】
ここでは、原稿種類が「文字」、濃度レベルが「２」のときに、有効になっている地肌飛ばしレベルが「１〜３」であることを示している。
【００９７】
図１７の設定画面において、地肌飛ばしレベルを変更した場合の画面例について図１８を参照して説明する。図１７において、地肌飛ばしレベルの「５」をＯＮにしたときの状態を示してある。ここでは、それまでＯＦＦの状態であった「４」が自動的にＯＮになる。これにより、ユーザが所望する通りに、原稿種類や濃度レベルに応じた地肌飛ばしレベルの範囲を行うことが可能である。
【００９８】
［原稿種類共通・濃度レベル別地肌飛ばしレベル設定について］
原稿種類共通・濃度レベル別地肌飛ばしレベル設定について図１９を参照して説明する。ここでは、原稿種類が共通であるため、原稿種類別のタブは表示されていない。それ以外の設定項目については図１７及び図１８と共通するため説明を省略する。
【００９９】
以上、本実施形態によれば、先に設定した濃度レベル又は地肌飛ばしレベルに応じて、後に設定する濃度レベル又は地肌飛ばしレベルの設定範囲を変更することができるため、ユーザの無駄な作業を抑制することが可能となる。
【０１００】
なお、上述する各実施の形態は、本発明の好適な実施の形態であり、本発明の要旨を逸脱しない範囲内において種々変更実施が可能である。例えば、上述した本実施形態の画像処理装置における各処理を、ハードウェア、又は、ソフトウェア、あるいは、両者の複合構成を用いて実行することも可能である。
【０１０１】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータにプログラムをインストールして実行させることが可能である。
【符号の説明】
【０１０２】
１    画像処理装置
１１    ＣＰＵ
１２    ＲＡＭ
１３    ＲＯＭ
１４    ＮＷ  Ｉ／Ｆ
１５    操作表示部
１６    ＨＤＤ
１７    読取部
１８    書込部
１０１    第１設定部
１０２    第２設定部
１０３    設定範囲調整部
１０４    原稿設定部
１０５    表示部
１０６    表示制御部
１０７    テーブル設定部
【先行技術文献】
【特許文献】
【０１０３】
【特許文献１】特許第４４０２０９０号公報
【図１】
2017130912.tif 000008
【図２】
2017130912.tif 000009
【図３】
2017130912.tif 000010
【図４】
2017130912.tif 000011
【図５】
2017130912.tif 000012
【図６】
2017130912.tif 000013
【図７】
2017130912.tif 000014
【図８】
2017130912.tif 000015
【図９】
2017130912.tif 000016
【図１０】
2017130912.tif 000017
【図１１】
2017130912.tif 000018
【図１２】
2017130912.tif 000019
【図１３】
2017130912.tif 000020
【図１４】
2017130912.tif 000021
【図１５】
2017130912.tif 000022
【図１６】
2017130912.tif 000023
【図１７】
2017130912.tif 000024
【図１８】
2017130912.tif 000025
【図１９】
2017130912.tif 000026